(57)【特許請求の範囲】
【請求項１】
排出装置（２）を液体製品（４）、好適には食品を含む容器（３）に連結し、製品（４）を容器（３）から排出するための連結装置（１）であって、
容器（３）は合成材料製の壁体（８）を有し、
連結装置（１）は互いに連結可能な２つの連結部材（９，１０）を含み、第１連結部材（９）は容器（３）の壁体（８）上に配置され且つ第２連結部材（１０）は前記第１連結部材（９）に連結され排出装置（２）を容器（３）に連結させ、
第１連結部材（９）は穴部（１１）あるいは穴部（１１）のための切り込みを有し、穴部（１１）は閉合部材（１３）により閉じられ、
第２連結部材（１０）は管状部材（１４）を有し、これにより閉合部材（１３）は貫通され第１連結部材（９）を開口し、
管状部材（１４）は穴部（１１）に挿入され、穴部（１１）の縁部（１６）の方へ加圧されることにより管状部材（１４）が縁部（１６）に密着し且つ連結部材（９，１０）が互いに近接して固着され、
第１連結部材（９）の穴部（１１）は、四角、五角あるいは六角部（１５）と、前記角部（１５）間に延在する縁部（１６）を有し、
第２連結部材（１０）の管状部材（１４）は、穴部の角部と対応する数の別の角部（１７）と、前記角部（１７）間に延在する別の縁部（１８）を有する連結装置において、
該穴部（１１）の縁部（１６）及び該管状部材（１４）の縁部（１８）はそれぞれ該穴部（１１）の中心（Ｃ１）及び該管状部材（１４）の中心（Ｃ２）に対して凹弧状であり、更に
該穴部（１１）及び該管状部材（１４）の凹弧状のそれぞれの縁部（１６、１８）は各自に連結して該穴部（１１）及び該管状部材（１４）のそれぞれの角部（１５，１７）を特定することを特徴とする連結装置。
【請求項２】
前記穴部（１１）及び前記管状部材（１４）のそれぞれの縁部（１６，１８）は各自に同じ凹弧状を有することを特徴とする請求項１記載の連結装置。
【請求項３】
穴部（１１）の縁部（１６）が容器（３）に対してあらかじめ決められた方向へ向けられるように、前記第１連結部材（９）が容器（３）に設けられることを特徴とする請求項１または２記載の連結装置。
【請求項４】
前記第１連結部材（９）は容器（３）内部に設けられ、容器（３）の壁部（８ａ）の連続部の内側に設置され、該連続部が第１連結部材（９）の穴部（１１）を閉じる閉合部材（１３）を形成するよう構成されることを特徴とする請求項１乃至３のいずれかに記載の連結装置。
【請求項５】
第１連結部材（９）は容器（３）内部に設けられたスペーサ（１９）を有することにより該容器（３）内の液体を排出する間、穴部（１１）と容器の壁部（８ｂ）との距離を一定に保つことを特徴とする請求項４記載の連結装置。
【請求項６】
第１連結部材（９）及び第２連結部材（１０）はそれぞれ弾性材料から構成されることを特徴とする請求項１乃至５のいずれかに記載の連結装置。
【請求項７】
第１連結部材（９）及び第２連結部材（１０）は合成材料から構成されることを特徴とする請求項１乃至６のいずれかに記載の連結装置。
【請求項８】
容器（３）は可撓性材料から構成され、且つプラスチック袋として設計されることを特徴とする請求項１乃至７のいずれかに記載の連結装置。
【発明の詳細な説明】
【発明の詳細な説明】
【０００１】
本発明は、液体製品、特に好適には食品を含む容器に排出装置を連結し、その製品を容器から排出するための連結装置に関連し、この容器は合成材料からなる壁体を有する。この連結装置は互いに連結可能な２つの連結部材から構成され、すなわち、第１の連結部材は容器の壁部に配置され、且つ第２の連結部材は第１の連結部材に連結されることにより排出装置を容器に連結させる。この第１の連結部材は穴部あるいは穴のための切り込みを有し、この穴は閉合部材により閉じられ、且つ第２連結部材は管状部材を有し、これにより閉合部材は貫通され第１連結部材を開口する。この管状部材は穴部内に挿入され穴部の縁部へ加圧されることにより管状部材が縁部に密着し、これによって連結部材が互いに近接して固着する。第１連結部材の穴部は四角、五角あるいは六角と、前記角部間に延在する縁部とを有し、且つ第２連結部材の管状部材は対応する角部とその間に延在する縁部とを有する。
【０００２】
穴部と、それに密着する管状連結部材とを有する連結装置において、この穴部及び管状連結部材を四角、五角あるいは六角部で設計することは公知である。このように、穴部と管状部材をそれぞれ設計する目的は、穴部と管状部材との連結を、これらの形状が互いに正確に対応する場合に限り可能とするためである。
【０００３】
しかしながら、多角形管状部材及び穴部を使用する場合に、連結ミスを完全に排除することはできないが、それは、連結中における部材間の好ましい密着を得るために加えられる力により、穴部を有する部材及び／または管状部材が変形されるからである。
【０００４】
従って、円筒連結部材、すなわち通常形状の管状部材を多角形である穴部を有する連結部材に固着して連結させるためには、穴部を管状部材がはめ合う円形状になるまでその縁部を変形、内側に湾曲させるよう力を加えて円筒連結部材を穴部に挿入しなければならなかった。
【０００５】
本発明の目的はこの欠点を解消することであり、請求項１の特徴を有する連結装置を提供することにより前記欠点は解消される。
【０００６】
連結装置の第１連結部材は穴部を有し、且つ第２連結部材は管状部材を有し、この縁部は凹弧状であり且つ互いに連結されるため、実際には例えば円筒連結部材を使用して縁部を変形することは不可能であり、このことは円筒連結部材が穴部を備えた連結部材に連結されていないことを意味する。穴の縁部と管状部材の縁部とをそれぞれ設計することにより、穴部を備える部材と管状部材が互いに強固に固着できるとともに、相対回転により互いに容易に遊離できることも更に実現される。
【０００７】
本発明は添付の図面に図示する好適な実施形態により以下で詳細に説明される。
【０００８】
図に示される連結装置１は、排出装置２を、食品のような液体製品４を有する容器３に連結し、製品４を容器３から排出するのに適する。
【０００９】
排出装置２は様々な型から構成し得る。これらは例えばホース５、あるいはタップ６に類似の部材から構成されるかあるいはそれらを含み、タップ６を開けることによって製品４は容器３から排出され、更にホース５を通って排出される。この排出装置２は別の実施態様においては、ポンプＰを含み容器内部に負圧を発生させることにより容器３から製品４を押し出す。
【００１０】
この容器３は合成材料の壁体８を有し好適には容器全体が合成材料で構成される。この材料は好適には曲がりやすく、容器３はプラスチック袋として設計される。この容器３は好適にはコンテナ７内に配置される。
【００１１】
連結装置１は２つの連結部材９及び１０を有し、これらは互いに連結可能であり、すなわち、第１連結部材９は容器３の壁体８の第１壁部８ａに設置され、第２連結部材１０は第１連結部材９に連結され、排出装置２を容器３に接続させる。
【００１２】
第１連結部材９は穴部１１あるいは穴部１１のための切り込みを有する。この穴部１１は閉合部材１３により閉じられる。この第２連結部材１０の管状部材１４を使用して前記閉合部材１３は貫通され、次に連結部材９及び１０が互いに密着するまで前記管状部材１４が穴部１１に挿入される。
【００１３】
図示される実施態様においては、穴部１１は六角部１５を有するが、四角または五角部１５を有することも可能である。この穴部１１は縁部１６を有し隣接する角部間に延在する（図４）。このような六角部１５を備える穴部１１とかみ合うため、管状部材１４もまた六角部１７（もし穴部１１が四角または五角部を有する場合には同様に四角あるいは五角部）及びこれらの角部１７間に縁部１８を有する（図５参照）。
【００１４】
穴部１１の縁部１６は、内側向きになっている、および／または縁部１６間の角部１５を互いに接続する直線Ｌ１６に対して、穴部１１の中心Ｃ１に向かって内側向きになっている部材あるいは部分を含む。管状部材１４の縁部１８も同様に、内側向きになっている、及び／又は縁部１８間の隣接する角部１７を互いに接続する直線Ｌ１８に対して、管状部材１４の中心Ｃ２に向かって内側向きになっている部材あるいは部分を含む。
【００１５】
図示される実施態様において、穴部１１の縁部１６及び管状部材１４の縁部１８はそれぞれ穴部１１の中心Ｃ１及び管状部材１４の中心Ｃ２に対してそれぞれ凹弧形状になっていて、これらの凹弧形状は全て均一である。
【００１６】
この内側向きの縁部１６及び１８はしかしながら凹弧形状とは別の形状に設計可能であり、全ての角部間において均一である必要はない。
【００１７】
第１連結部材９は、穴部１１の縁部１６が容器３に対してあらかじめ決められた方向を得られるように容器３上に一定方向で設けられる。
【００１８】
図１−３に図示される連結装置１の実施態様において、第１連結部材９は容器３の内部に配置される。穴部１１を有する第１連結部材９の部材あるいは部分９ａは、好適には壁体８の第１壁部８ａの内部に設けられ、好適には溶接される。前記壁部８ａの連続部分は穴部１１を閉じる閉合部材１３を特定する。
【００１９】
図１−３に図示される第１連結部材９はさらにスペーサ１９を含み、スペーサ１９は、容器３の壁体８の壁部、例えば壁部８ａの反対側に配置される第２壁部８ｂを穴部１１から一定の距離を保持しているが、その目的は容器３を空にする際にこれらの部材が製品４の穴部１１への流動および流出を妨げるまたは遮断するほどに壁部が穴部１１に対し余り近接しすぎるのを防ぐためである。このスペーサ１９は１つ以上の側面開口部２０と、その内側部２２に位置する底面開口部２１を有する。
【００２０】
この型の連結部材９及びその機能については従来から公知であり、例えば米国特許第４６０３７９３号の図３及び４に参照される。
【００２１】
管状部材１４は端縁部３６を有し、これは管状部材１４の軸中心線に対して傾斜する。この傾斜した端縁部３６はこの中心線に対して偏心したチップあるいは先端部３７を特定する。
【００２２】
第１連結部材９は穴部１１の代わりに切り込みを有し、それゆえ閉合部材１３がこの態様において切り込みの間の空間をふさぎ、且つ管状部材１４により貫通されるよう構成される。この実施態様においては、第１連結部材９及び閉合部材１３は１つのユニット装置として設計されるかあるいは閉合部材１３が第１連結部材９に固着され、切り込みを覆うよう設計される。
【００２３】
本発明は上述の実施態様および図面に限定されることなく特許請求の範囲内において変更可能である。例えば容器３は食品以外の液体あるいは半液体製品、例えば薬品あるいは接着剤などを含有することも可能である。
【図面の簡単な説明】
【００２４】
【図１】図１は本発明に関する連結装置及び容器を示す側面図である。
【図２】図１の連結装置の第１連結部材の斜視図である。
【図３】図１の連結装置の第２連結部材の斜視図である。
【図４】図２に関する第１連結部材における穴部の内側形状の平面図である。
【図５】図３に関する第２連結部材における管状部材の外側形状の平面図である。
【図１】
0004205667.tif 000002
【図２】
0004205667.tif 000003
【図３】
0004205667.tif 000004
【図４】
0004205667.tif 000005
【図５】
0004205667.tif 000006